(57)【特許請求の範囲】
【請求項１】
２枚の金属板の間に芯材が介装され、かつ上端部と下端部のうち一方にパネル長さ方向に亘って嵌合凸部を備え他方にパネル長さ方向に亘って嵌合凹部を備えるサンドイッチパネル同士を上下に接続した接続構造におけるパネル側端の排水構造であって、
上側のサンドイッチパネルの下端部あるいは下側のサンドイッチパネルの上端部の前記嵌合凹部の側壁が前記上側のサンドイッチパネルの側端からパネル長さ方向に所定長切断されてなる切断部を備え、
この切断部に、横水切り部材が、前記上側のサンドイッチパネルの側端の下方位置からパネル長さ方向の片側と他側に拡がった所定の範囲に位置し、かつ前記下側のサンドイッチパネルの上端部のうちのパネル長さ方向の一部に位置するように、配置されていることを特徴とするパネル側端の排水構造。
【請求項２】
前記横水切り部材は、前記切断部に配置される水受け面部と、この水受け面部の屋内側の端部から上方に突出する上突出部と、この水受け面部の屋外側の端部から下方に突出する下突出部と、を備え、
前記上突出部は、前記上側のサンドイッチパネルの屋内側に沿うことを特徴とする請求項１に記載のパネル側端の排水構造。
【請求項３】
前記横水切り部材の上面に、この横水切り部材と前記上側のサンドイッチパネルとの間の隙間を塞ぐシーリング部材を設けたことを特徴とする請求項１または２に記載のパネル側端の排水構造。
【請求項４】
前記上側のサンドイッチパネルの側端部の屋内側面に、縦水切り部材が上下方向に亘って取り付けられ、
この縦水切り部材の側端部が、前記上側のサンドイッチパネルの側端よりパネル長さ方向に突出し、
この縦水切り部材が前記横水切り部材上に配置されていることを特徴とする請求項１〜３のいずれか１項に記載のパネル側端の排水構造。
【発明の詳細な説明】
【技術分野】
【０００１】
本発明は、サンドイッチパネル同士を上下に接続した接続構造におけるパネル側端の排水構造に関するものである。
【背景技術】
【０００２】
従来から、特許文献１等によって、２枚の金属板間に芯材を介装したサンドイッチパネル同士を上下に接続して外壁を形成することが提案されている。
【０００３】
特許文献１等のサンドイッチパネルＳは、図８（ａ）に示すように、上端部１０に嵌合凹部５を備え、下端部１１に嵌合凸部４を備える。上下に隣接する２枚のパネルＳは、嵌合凸部４と嵌合凹部５とを嵌合させることで接続される。
【０００４】
上述のように上下にパネルＳ同士を接続する接続構造では、図８（ｂ）に示すように、横水切り部材１１７と縦水切り部材１１９とを設置して、上側のサンドイッチパネルＳ１の側端１２を流れる雨水等を屋外側へと排水することが一般的である。
【０００５】
横水切り部材１１７は、側端部より上方に突出させた突出部１７４を、上側のパネルＳ１の側端１２に沿わせるようにして、下側のサンドイッチパネルＳ２の嵌合凹部５の両側壁５０上に設置される。また、縦水切り部材１１９は、パネルＳ１の側端部の屋内側に取り付けられ、縦水切り部材１１９の下端部には、横水切り部材１１７上へ水を誘導する誘導部１９１が形成されている。
【０００６】
上述した横水切り部材１１７と縦水切り部材１１９とによって、パネルＳ１の側端１２に沿って流れる水をパネルＳの屋外側へと誘導して排水を行う。
【先行技術文献】
【特許文献】
【０００７】
【特許文献１】特開平１１−０４４０７９号公報
【発明の概要】
【発明が解決しようとする課題】
【０００８】
しかし上述のように横水切り部材１１７の突出部１７４をパネルＳ１の側端１２に沿わせるだけでは、この側端１２に沿って流れる水がこの側端１２と横水切り部材１１７との間の隙間を通り抜けてしまうおそれがあり、これでは十分な排水性を有しているとはいえない。
【０００９】
そこで、上記事情を鑑みて、本発明は、サンドイッチパネル同士を上下に接続した接続構造におけるパネル側端の排水性を向上させることができるパネル側端の排水構造を提案することを課題とする。
【課題を解決するための手段】
【００１０】
上記課題を解決するために本発明のサンドイッチパネル側端の排水構造は、２枚の金属板の間に芯材が介装され、かつ上端部と下端部のうち一方にパネル長さ方向に亘って嵌合凸部を備え他方にパネル長さ方向に亘って嵌合凹部を備えるサンドイッチパネル同士を上下に接続した接続構造におけるパネル側端の排水構造であって、上側のサンドイッチパネルの下端部あるいは下側のサンドイッチパネルの上端部の前記嵌合凹部の側壁が前記上側のサンドイッチパネルの側端からパネル長さ方向に所定長切断されてなる切断部を備え、この切断部に、横水切り部材が、前記上側のサンドイッチパネルの側端の下方位置からパネル長さ方向の片側と他側に拡がった所定の範囲に位置し、かつ前記下側のサンドイッチパネルの上端部のうちのパネル長さ方向の一部に位置するように、配置されていることを特徴とする。
【００１１】
また、前記横水切り部材は、前記切断部に配置される水受け面部と、この水受け面部の屋内側の端部から上方に突出する上突出部と、この水受け面部の屋外側の端部から下方に突出する下突出部と、を備え、前記上突出部は、前記上側のサンドイッチパネルの屋内側に沿うことが好ましい。
【００１２】
また、前記横水切り部材の上面に、この横水切り部材と前記上側のサンドイッチパネルとの間の隙間を塞ぐシーリング部材を設けることが好ましい。
【００１３】
また、前記上側のサンドイッチパネルの側端部の屋内側面に、縦水切り部材が上下方向に亘って取り付けられ、この縦水切り部材の側端部が、前記上側のサンドイッチパネルの側端よりパネル長さ方向に突出し、この縦水切り部材が前記横水切り部材上に配置されていることが好ましい。
【発明の効果】
【００１４】
本発明は、上下のサンドイッチパネルの接続箇所にある嵌合凹部の側壁を、上側のサンドイッチパネルの側端からパネル長さ方向に所定長切断して形成した切断部に、横水切り部材を配置することができる。そのため、本発明では、上側のサンドイッチパネルの側端の下方に横水切り部材を配置することができるため、この側端に沿って流れる水を横水切り部材でより確実に受けて排水を行うことができる。よって、本発明は、サンドイッチパネル同士を上下に接続した接続構造におけるパネル側端の排水性を向上させることができる。
【図面の簡単な説明】
【００１５】
【図１】本発明の第一実施形態のパネル側端の排水構造を示し、（ａ）は排水構造全体の斜視図であり、（ｂ）は（ａ）の上側のサンドイッチパネルの側端を含む面で切断した要部側断面図であり、（ｃ）はこの排水構造に用いられる横水切り部材の斜視図である。
【図２】（ａ）〜（ｃ）は、同上の排水構造の施工手順の一例を示す斜視図である。
【図３】（ａ）〜（ｃ）は、本発明の第二実施形態のパネル側端の排水構造の施工手順の一例を示す斜視図である。
【図４】図３（ｃ）に示す排水構造の横断面図である。
【図５】本発明の第三実施形態のパネル側端の排水構造を示し、（ａ）はこの排水構造に用いられる横水切り部材の斜視図であり、（ｂ）は排水構造全体の斜視図である。
【図６】（ａ）は本発明の第四実施形態のパネル側端の排水構造を示す要部側断面図であり、（ｂ）は本発明の第五実施形態のパネル側端の排水構造を示す要部側断面図である。
【図７】本発明の第六実施形態のパネル側端の排水構造を示す斜視図である。
【図８】パネル側端の排水構造の一例の斜視図であり、（ａ）はパネル側端に横水切り部材を取り付ける前の状態を示し、（ｂ）はパネル側端に横水切り部材及び縦水切り部材を取り付けた状態を示す。
【発明を実施するための形態】
【００１６】
以下、本発明の実施形態について図を参照しながら説明する。
【００１７】
本発明の第一実施形態のパネル側端の排水構造は、サンドイッチパネルＳ同士を上下に接続した接続構造における上側のサンドイッチパネルＳ１の側端１２の排水構造である。パネルＳは、長方形の板状をなし、パネル長さ方向が横方向となり、且つパネル幅方向が上下方向となるように胴縁等の下地材１００に取り付けられて外壁を形成する。以下、下地材１００に対してパネルＳが配置される側を屋外側といい、その反対側を屋内側という。
【００１８】
図１（ａ）には、上下のパネルＳをパネル長さ方向に互いにずらして配置した場合における、上側のサンドイッチパネルＳ１の側端１２の排水構造が示されている。この排水構造では、パネルＳ１の側端１２の下方に横水切り部材７が配置され、パネルＳ１の側端１２の屋内側に縦水切り部材９が配置されている。縦水切り部材９は、横水切り部材７上に配置されている。
【００１９】
各構成についてさらに詳しく説明する。パネルＳは、図１（ｂ）に示すように、２枚の金属板１，２の間に芯材３を介装し、上端部１０に嵌合凹部５を備え、下端部１１に嵌合凸部４を備えたものである。金属板１，２は、厚みが０．２５〜１．６ｍｍ程度の薄板材である。金属板１，２としては、例えば、Ａｌ、Ｆｅ、Ｃｕ、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等の一種をプレス成形、押出成形、ロール成形等によって成形したものである。芯材３としては、ロックウールやグラスウールやセラミックファイバーなどの無機繊維体や、ウレタンフォームやフェノールフォームなどの樹脂発泡体等を例示することができる。特に、芯材３は断熱性能と共に耐火性能を有するロックウールやグラスウールやフェノールフォームを用いることが好ましい。また、芯材３は、角材のようなブロック状に形成することができると共に、芯材３は、密度が通常２０〜４００ｋｇ／ｍ３のものを用いることが好ましく、特に１２０〜２００ｋｇ／ｍ３のものを用いることが好ましい。
【００２０】
嵌合凹部５の両側壁５０は、屋外側の金属板１（以下、「屋外側金属板１」という。）の上端部を上下に折り返して形成した屋外側側壁部５２と、屋内側の金属板２（以下、「屋内側金属板２」という。）の上端部を上下に折り返して形成した屋内側側壁部５３とからなる。屋外側側壁部５２内及び屋内側側壁部５３内には、芯材３は充填されておらず、嵌合凸部４内には芯材３が充填されている。なお、この屋外側側壁部５２内及び屋内側側壁部５３内には、芯材３が充填されていてもよい。
【００２１】
屋外側側壁部５２と屋内側側壁部５３との間には、嵌合凹部５の底面となる略平坦な底面部５１を備えている。この底面部５１では、屋外側金属板１の上端縁と屋内側金属板２の上端縁との間にヒートブリッジ防止用の隙間が形成されており、この隙間部分では芯材３は露出している。本実施形態のパネルＳの下端部１１には、嵌合凸部４よりも屋外側で下方に突出する屋外側折り返し部５４と、嵌合凸部４よりも屋内側で下方に突出する屋内側折り返し部５５とを備えている。パネルＳは、上端部１０に釘や螺子等の固定具１０１を挿通することで、下地材１００に固定される。なお、図面及び下記の説明では、説明の便宜を図るため、パネルＳの側端１２を平坦面としている。
【００２２】
また、図示していないが、上述したパネルＳ内に介装した芯材３のうち、嵌合凹部５と嵌合凸部４に配置される端部芯材としては、硬質であり且つ耐火性を有する石膏ボードや珪酸カルシウム等の無機質材料が好適に用いられる。嵌合凹部５に配置される端部芯材は、底面部５１から屋外側金属板１が屋内側に一段後退した部位の下端Ｐ１までの間か、あるいは、底面部５１から屋外側金属板１が屋内側に二段後退した部位の下端Ｐ２までの間に配置される。なお、端部芯材は屋外側側壁部５２内及び屋内側側壁部５３内に充填してもよい。また、嵌合凸部４には、端部芯材が、凸部先端から嵌合凹部５の両側壁５０に挟まれる箇所の上端Ｐ３までの間か、あるいは、さらにその上方までの間に配置される。なお、端部芯材は屋外側折り返し部５４内や屋内側折り返し部５５内に充填してもよい。
【００２３】
横水切り部材７は、金属板１，２と同素材の金属板をプレス成形、押出成形等によって成形したものである。横水切り部材７は、図１（ｃ）に示すように、パネル長さ方向に所定長ｄ３を有するように形成される。横水切り部材７は、略平坦な水受け面部７０と、この水受け面部７０の屋内側の端部から上方に突出する上突出部７１と、この水受け面部７０の屋外側の端部から下方に突出する下突出部７２とを備える。横水切り部材７の側端部の上面（本実施形態では、水受け面部７０の上面と上突出部７１の屋外側面）には、シーリング部材８が取り付けられる。このシーリング部材８は、上下のパネルＳ間に横水切り部材７を配置した際に、横水切り部材７と上側のパネルＳ１との間の隙間をパネル厚み方向に亘って埋める。シーリング部材８としては、一般的なシーリング材や、シーリングテープが用いられる。
【００２４】
縦水切り部材９は、金属板１，２と同素材の金属板をプレス成形、押出成形等によって成形したものである。縦水切り部材９は、図１（ａ）に示すように、パネル幅方向に長尺に形成され、そのパネル幅方向の長さが、パネルＳ１のパネル幅方向の長さと略同じ長さとなるように形成される。縦水切り部材９は、平板状の本体部９０と、その本体部９０の片側の側端部を屋外側に折り返して形成した折り返し部９１とを備えてなる。この本体部９０の屋外側面のうち、折り返し部９１よりも中央側の部分には、パネル幅方向に亘ってシーリング部材９２が取り付けられている。このシーリング部材９２は、上側のパネルＳ１の側端部の屋内側面に縦水切り部材９を取り付けた際に、縦水切り部材９と上側のパネルＳ１との間の隙間をパネル幅方向に亘って埋める。シーリング部材９２としては、一般的なシーリング材や、シーリングテープが用いられる。
【００２５】
続いて、上述したパネルＳと横水切り部材７と縦水切り部材９とを用いてパネルＳの側端１２の排水構造を施工する手順の一例を説明する。
【００２６】
まず、下側のサンドイッチパネルＳ２の上端部１０の嵌合凹部５の両側壁５０を、このパネルＳ２上に接続されるパネルＳ１の側端１２の位置からパネル長さ方向の片側に所定長ｄ１、他側に所定長ｄ２切断して、パネルＳ２の上端部１０に切断部６を形成する。このようにして形成された切断部６の上面は、底面部５１の上面と略面一の略平坦面となる。所定長ｄ１と所定長ｄ２を足し合わせた長さは、横水切り部材７のパネル長さ方向の長さｄ３と同じか、またはそれよりも長い。所定長ｄ１と所定長ｄ２は、同じ長さであってもよいし、一方が長くてもよい。なお、所定長ｄ１，ｄ２は、例えば１０ｃｍである。
【００２７】
次いで、下側のパネルＳ２を、下地材１００の屋外側に固定具１０１を介して取り付け、切断部６に横水切り部材７を配置する。このとき、横水切り部材７は、図２（ａ）に示すように、水受け面部７０が嵌合凹部５の底面部５１上に載せられ、この水受け面部７０の上面が水平に設けられるか、あるいは屋外側に若干下がるように傾斜させて設けられる。また、横水切り部材７は、上突出部７１が下側のパネルＳ２よりも屋内側に位置するように配置され、下突出部７２の下端が、切断した両側壁５０の切断面、つまり、嵌合凹部５の底面部５１よりも下方に位置するように配置される。この下突出部７２によって、固定具１０１の頭部は屋外側から視えないように隠される。なお、横水切り部材７は、下地材１００に螺子等の固定具で固定してもよい。
【００２８】
次いで、図２（ｂ）に示すように、横水切り部材７上に縦水切り部材９を配置する。ここで、縦水切り部材９は、横水切り部材７の水受け面部７０上に載置され、横水切り部材７の上突出部７１の屋外側に配置される。縦水切り部材９のパネル長さ方向の位置は、この後設置される上側のパネルＳ１の側端１２の位置に対応させる。なお、縦水切り部材９は、下地材１００に螺子等の固定具で固定してもよい。
【００２９】
次いで、横水切り部材７を上端に配した下側のパネルＳ２に、上方からパネルＳ１を落とし込んで、図２（ｃ）に示すように、上下のパネルＳ１，Ｓ２を嵌合させる。上下のパネルＳ１，Ｓ２は、切断部６を除いた部分の嵌合凸部４と嵌合凹部５とが嵌合して、十分な接続強度を確保できる。
【００３０】
以上のようにして形成される排水構造では、上側のパネルＳ１の側端１２の下方位置を含むパネル長さ方向の所定の範囲に、横水切り部材７が配置された状態となる。横水切り部材７の上突出部７１は上側のパネルＳ１の屋内側に位置し、横水切り部材７の下突出部７２は、上側のパネルＳ１の屋外側折り返し部５４の屋内側に位置する。この下突出部７２は、屋外側から視えない状態となる。横水切り部材７の上面のシーリング部材８は、上側のパネルＳ１と横水切り部材７の水受け面部７０とのパネル幅方向の隙間を埋め、上側のパネルＳ１と横水切り部材７の上突出部７１とのパネル厚み方向の隙間を埋める。また、縦水切り部材９のシーリング部材９２は、上側のパネルＳ１の屋内側面の側端部に取り付けられ、上側のパネルＳ１と縦水切り部材９の本体部９０とのパネル厚み方向の隙間をパネル幅方向に亘って埋める。縦水切り部材９は、本体部９０の側端部がパネルＳ１の側端１２よりパネル長さ方向に突出するように取り付けられる。
【００３１】
以上のように上側のパネルＳ１の側端１２の下方に横水切り部材７を配置できるため、この側端１２に沿って流れる水を、横水切り部材７で略確実に受けることができ、この受けた水をパネルＳ１の屋外側へと流すことができる。ここで、横水切り部材７の上突出部７１によって、横水切り部材７の水受け面部７０で受けた水がパネルＳ１の屋内側へと流れ込むことを防止できる。また、シーリング部材８によって、水受け面部７０で受けた水が、切断部６側方の上下のパネルＳ１，Ｓ２間に流れ込むことを防止できる。また、横水切り部材７の下突出部７２によって、水受け面部７０で受けた水を、嵌合凹部５の両側壁５０の切断箇所よりも下方に流して、この切断箇所や底面部５１の芯材３が露出した箇所に水が流れ込むことを防止できる。
【００３２】
加えて、上述した排水構造では、上側のパネルＳ１の側端１２の屋内側に縦水切り部材９が位置し、この縦水切り部材９が横水切り部材７上に位置する。そのため、上側のパネルＳ１の側端１２に沿って流れる水が、横水切り部材７に至る前の段階で、パネルＳ１の屋内側に流れ込むことをこの縦水切り部材９によって防止することができる。また、縦水切り部材９の本体部９０の屋外側に沿って流れる水は、横水切り部材７上に略確実に至らせることができる。ここで、縦水切り部材９はシーリング部材９２の奥側（パネル長さ方向の奥側）に折り返し部９１を設けているため、もし仮にシーリング部材９２よりも奥側に水が流れ込んだとしても、この折り返し部９１で受けて横水切り部材７上へと至らせることができる。
【００３３】
以上のように、本実施形形態の排水構造では、横水切り部材７と縦水切り部材９とによって、上側のパネルＳ１の側端１２に沿って流れる水を、略確実に屋外側へと排水することができる。
【００３４】
続いて、図３に示す本発明の第二実施形態のパネル側端の排水構造について説明する。第二実施形態のパネル側端の排水構造は、窓設置用の開口部２００の側方に配置されるパネルＳのパネル側端の排水構造である。第一実施形態のパネル側端の排水構造と同様の構成については図中に同じ符号を付けて説明を省略し、異なる構成について詳しく説明する。
【００３５】
第二実施形態のパネル側端の排水構造では、横水切り部材７は、水受け面部７０のパネル長さ方向の一端部に上突出部７１を備えている。つまり、水受け面部７０は、上突出部７１よりもパネル長さ方向に長尺に形成されている。下突出部７２は、水受け面部７０のパネル長さ方向の全長に亘って設けられている。以下では、水受け面部７０のうち、上突出部７１よりもパネル長さ方向に延伸した部分を延伸部７４という。
【００３６】
窓設置用の開口部２００は、矩形枠状に配置された下地材１００によって囲まれた空間で形成される。本実施形態では、下地材１００は、図３（ａ）に示すように、上下に対向配置された２本の角管状の横構造材１０２と、左右に対向配置された２本の平断面横向きＵ字状の縦構造材１０３とを備える。２本の横構造材１０２と２本の縦構造材１０３とは、矩形枠状に架け渡される。なお、図３（ａ）では、２本の縦構造材１０３のうち、一方の図示は省略されている。
【００３７】
この下地材１００によって囲まれた開口部２００には、矩形枠状の枠体１０４ａと、この内側に配される引き戸等の開閉体１０４ｂ（図４参照）とからなる建具１０４が設けられる。なお、図３（ａ）〜図３（ｃ）では、開閉体１０４ｂの図示を省略している。枠体１０４ａは、矩形枠状の下地材１００の内側（開口部２００側）に嵌め込まれている。
【００３８】
この枠体１０４ａには横長の上枠部材１０５と縦長の側枠部材１０６とが設けられている。上枠部材１０５は、枠体１０４ａの上部（上枠）の屋外側に横方向（パネル長さ方向）の略全長に亘って取り付けられ、側枠部材１０６は、枠体１０４ａの両方の側部（側枠）の屋外側に縦方向に長く取り付けられている。上枠部材１０５及び側枠部材１０６は、下地材１００よりも屋外側に突出するように配置されている。また、上枠部材１０５には、上方に突出する上枠取付片１０５ａが設けられており、上枠取付片１０５ａは横構造材１０２の屋外面にビス等で固定されている。また、側枠部材１０６には、側方（開口部２００と反対側の側方）に突出する側枠取付片１０６ａが設けられており、側枠取付片１０６ａは縦構造材１０３の屋外面にビス等で固定されている。
【００３９】
次に、上述した開口部２００の周囲に、本実施形態のパネル側端の排水構造を施工する手順の一例について説明する。
【００４０】
まず、下側のサンドイッチパネルＳ２の上端部１０の嵌合凹部５の両側壁５０を、このパネルＳ２上に接続されるパネルＳ１の側端１２の位置からパネル長さ方向の片側（開口部２００のある側とは反対側）に所定長ｄ１、他側（開口部２００側）に所定長ｄ２切断して、パネルＳ２の上端部１０に切断部６を形成する。所定長ｄ２は、本実施形態では、パネルＳ２上に配置される開口部２００のパネル長さ方向の全長に亘って切断部６が形成されるように、その長さが設定される。所定長ｄ１と所定長ｄ２を足し合わせた長さは、横水切り部材７の水受け面部７０のパネル長さ方向の長さｄ３と同じか、またはそれよりも長い。
【００４１】
次いで、図３（ａ）に示すように、下側のパネルＳ２の上端部１０を、下側の横構造材１０２の屋外側に固定具（図示せず）を介して取り付け、切断部６に横水切り部材７を配置する。このとき、横水切り部材７を、上突出部７１の側端（開口部２００側の側端）が側枠部材１０６の側端面１０７（開口部２００のある側とは反対側の側端面）に接触し、水受け面部７０の延伸部７４が開口部２００の下方に位置するように配置する。横水切り部材７は、水受け面部７０が嵌合凹部５の底面部５１上に載せられ、この水受け面部７０の上面が、水平に設けられるか、あるいは屋外側に若干下がるように傾斜させて設けられる。また、横水切り部材７は、上突出部７１が下側のパネルＳ２よりも屋内側に位置するように配置され、下突出部７２の下端が、切断した両側壁５０の切断面、つまり、嵌合凹部５の底面部５１よりも下方に位置するように配置される。この下突出部７２によって、パネルＳを固定する固定具の頭部は屋外側から視えないように隠される。なお、横水切り部材７は、縦構造材１０３に螺子等の固定具で固定してもよい。
【００４２】
次いで、図３（ｂ）に示すように、縦水切り部材９を、その側端が側枠部材１０６の側端面１０７に当接するように、横水切り部材７の水受け面部７０上に載置する。このとき、縦水切り部材９は、横水切り部材７の上突出部７１の屋外側に配置される。なお、縦水切り部材９は、縦構造材１０３に螺子等の固定具で固定してもよい。図３（ｂ）では、図示を省略しているが、縦水切り部材９の側端と側枠部材１０６の側端面１０７とは、図４に示すように、シーリング材１１０を介してシールさせる。
【００４３】
次いで、側枠部材１０６の側方（開口部２００のある側と反対側の側方）において、横水切り部材７を上端に配した下側のパネルＳ２に、上方からパネルＳ１を落とし込んで、図３（ｃ）に示すように、上下のパネルＳ１，Ｓ２を嵌合させる。このとき、上側のパネルＳ１は、側枠部材１０６との間に隙間をおいて配置され、パネルＳ１の屋内側の側端部には縦水切り部材９のシーリング部材９２が接着される。上下のパネルＳ１，Ｓ２は、切断部６を除いた部分の嵌合凸部４と嵌合凹部５とが嵌合して、十分な接続強度を確保できる。
【００４４】
次いで、上側のパネルＳ１と側枠部材１０６との隙間の屋外側に、縦水切り部材９との間に空間ができるようにシーリング材１０８を充填する。この空間が水の流れる排水空間となる。
【００４５】
次いで、枠体１０４ａの下部（下枠）の屋外側に、側面視略Ｌ字状のカバー１０９を配置し、延伸部７４及び下突出部７２を屋外側からカバーする。なお、図示していないが、このカバー１０９と側枠部材１０６との上下隙間はシーリング材でシールする。
【００４６】
次いで、上側のパネルＳ１に、上方からパネルＳ３を落とし込んで、この上下のパネルＳ１，Ｓ３を嵌合させる。
【００４７】
これによって、本実施形態のパネル側端の排水構造は、開口部２００の周囲に配される。図４には、この排水構造のパネルＳ１の上下方向の中央部を含む平面で切断した横断面図を示している。
【００４８】
以上のように開口部２００の周囲に配される本実施形態のパネル側端の排水構造では、上述した第一実施形態の効果に加えてさらに以下の効果を奏する。すなわち、上側のパネルＳ１の側端１２に沿って流れる水が、横水切り部材７に至る前の段階で、パネルＳ１の屋内側に流れ込むことをこの縦水切り部材９によって防止するだけでなく、この縦水切り部材９の屋外側を伝う水が開口部２００に流れ込むことを、側枠部材１０６の側端面１０７によって防止できる。これにより、縦水切り部材９の屋外側を伝う水を略確実に横水切り部材７上に至らせることができる。
【００４９】
また、側枠部材１０６の側端面１０７の下方にも、横水切り部材７の水受け面部７０が位置するため、この側端面１０７に伝って流れる水も横水切り部材７で略確実に受けて、屋外側へと排水することができる。
【００５０】
なお、上述した第二実施形態のパネル側端の排水構造では、延伸部７４を、開口部２００の下方にこの開口部２００のパネル長さ方向の略全長に亘って配置した例について説明したが、これに限定されない。つまり、延伸部７４を、側枠部材１０６の真下まで延伸させ、延伸部７４と側枠部材１０６との上下隙間をシーリング材でシールするようにしてもかまわない。
【００５１】
続いて、図５に示す本発明の第三実施形態のパネル側端の排水構造について説明する。第三実施形態の排水構造は、上述した第一実施形態の排水構造と比べて、横水切り部材７の形状のみ異なる。図５中には、第一実施形態の排水構造と同様の構成には同じ符号を付けている。
【００５２】
第三実施形態では、横水切り部材７は、下突出部７２の下端からさらに下方に向けて突出する下端突出部７３を備える。本実施形態では、下端突出部７３は、側面視略Ｌ字状に形成されている。下端突出部７３は、上下のパネルＳ間に横水切り部材７を配置した際に、下側のパネルＳ２の屋外側に露出する。
【００５３】
このような構成とすることで、本実施形態の排水構造では、横水切り部材７で受けた水を、上下のパネルＳの接続箇所よりも下方位置で屋外側に排水することができる。これにより、横水切り部材７で受けた水が、嵌合凹部５の切断箇所や底面部５１の芯材３が露出した箇所からパネルＳの内部へと浸入して、パネルＳが腐食することをより確実に防止できる。
【００５４】
なお、この第三実施形態の排水構造の横水切り部材７の下端突出部７３を、第二実施形態の排水構造の横水切り部材７に適用してもよい。
【００５５】
上述した第一乃至第三実施形態の排水構造では、パネルＳは、下端部１１に屋内側折り返し部５５を備えるものであったが、図６（ａ）に示す第四実施形態の排水構造のように、屋内側折り返し部５５を備えないものであってもよい。図６（ａ）中には、第一実施形態の排水構造と同様の構成には同じ符号を付けている。なお、第四実施形態の排水構造は、屋内側折り返し部５５を備えない点でのみ、第一実施形態の排水構造と構成が異なるので、詳しい説明は省略する。
【００５６】
また、パネルＳは、図６（ｂ）に示す第五実施形態の排水構造のように、上端部１０に嵌合凸部４を備え、下端部１１に嵌合凹部５を備えるものであってもよい。図６（ｂ）中には、第一実施形態の排水構造と同様の構成には同じ符号を付けている。
【００５７】
図６（ｂ）に示す第五実施形態の排水構造では、嵌合凹部５の両側壁５０は、屋外側金属板１の下端部を上下に折り返して形成した屋外側側壁部５２と、屋内側金属板２の下端部を上下に折り返して形成した屋内側側壁部５３とからなる。屋外側側壁部５２内及び屋内側側壁部５３内には、芯材３は充填されておらず、嵌合凸部４内には芯材３が充填されている。なお、この屋外側側壁部５２内及び屋内側側壁部５３内には、芯材３が充填されていてもよい。
【００５８】
屋外側側壁部５２と屋内側側壁部５３との間には、嵌合凹部５の底面となる略平坦な底面部５１を備えている。嵌合凸部４は、屋外側金属板１の上端部と、屋内側金属板２の上端部と、その間の芯材３とで形成され、嵌合凸部４の上端面４０は略平坦面となっている。この嵌合凸部４の上端面４０では、屋外側金属板１の上端縁と屋内側金属板２の上端縁との間にヒートブリッジ防止用の隙間が形成されており、この隙間部分では芯材３は露出している。パネルＳは上端部１０に固定具１０１が挿通されて、下地材１００に固定される。
【００５９】
また、図示していないが、上述したパネルＳ内に介装した芯材３のうち、嵌合凹部５の底部と嵌合凸部４に配置される端部芯材としては、硬質であり且つ耐火性を有する石膏ボードや珪酸カルシウム等の無機質材料が好適に用いられる。嵌合凹部５には、端部芯材が、底面部５１からその上方位置までの間に配置される。なお、端部芯材は屋外側側壁部５２内や屋内側側壁部５３内に充填してもよい。また、嵌合凸部４には端部芯材が、上端面４０から屋外側金属板１が屋内側に一段後退した部位の下端Ｐ１までの間か、あるいは、上端面４０から屋外側金属板１が屋内側に二段後退した部位の下端Ｐ２までの間に配置される。
【００６０】
第五実施形態では、例えば以下のようにして、パネルＳの側端１２の排水構造が施工される。まず、下側のパネルＳ２を、下地材１００の屋外側に固定具１０１を介して取り付ける。次いで、上側のパネルＳ１の下端部１１の嵌合凹部５の両側壁５０のうち屋内側側壁部５３のみを、このパネルＳ１の側端１２の位置からパネル長さ方向の片側に所定長ｄ１切断し、パネルＳ１の下端部１１に切断部を形成する。切断部の下面は、底面部５１と略面一の略平坦面となる。この切断部を形成したパネルＳ１の側端部の屋内側面に、パネル幅方向に亘って縦水切り部材９をシーリング部材９２を介して取り付け、さらに切断部に横水切り部材７をシーリング部材８を介して取り付ける。そして、この縦水切り部材９と横水切り部材７とを取り付けた上側のパネルＳ１を、下側のパネルＳ２の上方から落とし込んで、上下のパネルＳ１，Ｓ２を嵌合させる。横水切り部材７は、下側のパネルＳ２の嵌合凸部４の略平坦な上端面４０上に載置される。なお、横水切り部材７と縦水切り部材９は、第一実施形態と同様に、下側のパネルＳ２上に載置した後、上側のパネルＳ１を上方から落とし込むようにして、設置してもよい。
【００６１】
以上のようにして形成される排水構造においても、上側のパネルＳ１の側端１２の下方に横水切り部材７が位置するため、この側端１２に沿って流れる水を、横水切り部材７で略確実に受けることができ、この受けた水をパネルＳ１の屋外側へと流すことができる。また、横水切り部材７の上突出部７１やシーリング部材８によって、横水切り部材７の水受け面部７０で受けた水がパネルＳ１の屋内側や切断部側方の上下のパネルＳ１，Ｓ２間に流れ込むことを防止できる。また、横水切り部材７の下突出部７２によって、水受け面部７０で受けた水を、嵌合凹部５の屋内側側壁部５３の切断箇所や嵌合凸部４の上端面４０よりも下方に流して、この切断箇所や嵌合凸部４の上端面４０の芯材３が露出した箇所に水が流れ込むことを防止できる。また、横水切り部材７の下突出部７２は、上側のパネルＳ１の屋外側側壁部５２の屋内側に位置して、屋外側から視えない状態となる。また、縦水切り部材９によって、上側のパネルＳ１の側端１２に沿って流れる水が、横水切り部材７に至る前の段階で、パネルＳ１の屋内側に流れ込むことを防止することができる。また、縦水切り部材９のシーリング部材９２よりも奥側に流れ込んだ水は、折り返し部９１で受けて横水切り部材７上へと至らせることができる。
【００６２】
以上説明した第一乃至第五実施形態の排水構造では、上下のパネルＳをパネル長さ方向に互いにずらして配置した例を示したが、図７に示すように、上下のパネルＳの側端の位置をパネル長さ方向に一致するように配置してもよい。図７では、下側のパネルＳ２を横方向に並んだ２枚のパネルＳで構成している。
【００６３】
図７には、上述した第三実施形態の排水構造を、横並びに配置したパネルＳ１の目地部分に適用した第六実施形態の排水構造が示されている。図７中には、第三実施形態の排水構造と同様の構成には同じ符号を付けている。
【００６４】
第六実施形態の排水構造では、横水切り部材７は、横水切り部材７の両側端部の上面（本実施形態では、水受け面部７０の上面と上突出部７１の屋外側面）に、シーリング部材８が取り付けられる。また、縦水切り部材９は、本体部９０のパネル長さ方向の両側端部に折り返し部９１を備えており、この両側端部の折り返し部９１の中央側にシーリング部材９２が取り付けられている。横並びの上側のパネルＳ１の側端部の屋内側面にはそれぞれ、シーリング部材９２を介して縦水切り部材９が取り付けられる。
【００６５】
第六実施形態の排水構造では、横水切り部材７と縦水切り部材９とによって、横並びのパネルＳ１の目地部分に侵入した水を、パネルＳの屋外側へと排水することができる。これにより、この目地部分に侵入した水によって、パネルＳが腐食することを防止できる。なお、この排水構造では、下端突出部７３の下端が、下側の横並びのパネルＳ２間に充填されたシーリング材の上端部よりも下方に位置している。これにより、このシーリング材の上端部から水が浸入することを防止できる。
【００６６】
なお、第三実施形態の排水構造に限らず、第一、第四、第五実施形態の排水構造を、上述した目地部分の排水構造に適用してもよい。
【００６７】
以上の説明及び図面では、パネルＳの側端１２を平坦面として説明したが、パネルＳの側端１２は、平坦面からパネルの幅方向に亘って突出する突起を有していてもよい。その場合、その突起の先端を始点として所定長ｄ１や所定長ｄ２の長さを設定するようにすればよい。
【００６８】
以上まとめると、第一乃至第六実施形態は、２枚の金属板１，２の間に芯材３を介装し、上端部１０と下端部１１のうち一方に嵌合凸部４を備え他方に嵌合凹部５を備えるサンドイッチパネルＳ同士を上下に接続した接続構造におけるパネル側端の排水構造である。上側のサンドイッチパネルＳ１の下端部１１あるいは下側のサンドイッチパネルＳ２の上端部１０の嵌合凹部５の側壁５０を、上側のパネルＳ１の側端１２からパネル長さ方向に所定長切断し、この切断部６に、横水切り部材７を配置している。なお、ここでいう所定長とは、第五実施形態では、パネル長さ方向の片側にｄ１であり、第一乃至第四、及び第六実施形態では、パネル長さ方向の片側にｄ１と、パネル長さ方向の他側にｄ２である。
【００６９】
このような構成とすることで、第一乃至第六実施形態のパネル側端の排水構造では、上下のパネルＳ１，Ｓ２の接続箇所にある嵌合凹部５の側壁５０を、上側のパネルＳ１の側端１２からパネル長さ方向に所定長切断して形成した切断部６に、横水切り部材７を配置することができる。すなわち、第一乃至第六実施形態のパネル側端の排水構造では、上側のパネルＳ１の側端１２の下方に横水切り部材７を配置することができるため、この側端１２に沿って流れる水を横水切り部材７でより確実に受けて排水を行うことができる。よって、第一乃至第六実施形態のパネル側端の排水構造では、パネルＳ１，Ｓ２同士を上下に接続した接続構造におけるパネル側端の排水性を向上させることができる。
【００７０】
また、上述した第一乃至第六実施形態のパネル側端の排水構造では、横水切り部材７は、切断部６に配置される水受け面部７０と、この水受け面部７０の屋内側の端部から上方に突出する上突出部７１と、この水受け面部７０の屋外側の端部から下方に突出する下突出部７２とを備える。この上突出部７１は、上側のサンドイッチパネルＳ１の屋内側に沿う。
【００７１】
このような構成とすることで、第一乃至第六実施形態のパネル側端の排水構造では、上突出部７１によって、切断部６に配置した水受け面部７０で受けた水が、パネルＳ１の屋内側へと流れ込むことを抑制できる。また、下突出部７２によって、水受け面部７０で受けた水を、上下のパネルＳ１，Ｓ２の切断箇所よりも下方で屋外側へ排水することができ、これにより切断箇所から水が浸入して、パネルＳ２が痛むことを抑制できる。
【００７２】
また、上述した第一乃至第六実施形態のパネル側端の排水構造では、横水切り部材７の上面に、この横水切り部材７と上側のサンドイッチパネルＳ１との間の隙間を塞ぐシーリング部材８を設けている。
【００７３】
このような構成とすることで、第一乃至第六実施形態のパネル側端の排水構造では、シーリング部材８によって、水受け面部７０で受けた水が、パネルＳ１の切断部６側方の上下のパネルＳ１，Ｓ２の接続部分へと流れ込むことを抑制できる。これにより、この流れ込んだ水によってパネルＳ２が痛むことを抑制できる。
【００７４】
また、上述した第一乃至第六実施形態のパネル側端の排水構造では、上側のパネルＳ１の側端部の屋外側面に、縦水切り部材９をパネル幅方向に亘って取り付け、この縦水切り部材９の側端部を、上側のパネルＳ１の側端１２よりパネル長さ方向に突出させ、この縦水切り部材９を横水切り部材７上に配置している。
【００７５】
このような構成とすることで、上述した第一乃至第六実施形態のパネル側端の排水構造では、縦水切り部材９によって、上側のパネルＳ１の側端１２に沿って流れる水が、横水切り部材７に到達する前の段階で、パネルＳ１の屋内側へと流れ込むことを抑制できる。また、この縦水切り部材９に流れ込んだ水を、横水切り部材７上に誘導して、屋外側へと排水することができる。これにより、パネル側端の排水性をさらに向上させることができる。
【００７６】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７７】
１          金属板（屋外側金属板）
２          金属板（屋内側金属板）
３          芯材
４          嵌合凸部
５          嵌合凹部
６          切断部
７          横水切り部材
８          シーリング部材
９          縦水切り部材
１０        上端部
１１        下端部
１２        側端
５０        側壁
Ｓ          サンドイッチパネル
Ｓ１        上側のサンドイッチパネル
Ｓ２        下側のサンドイッチパネル
【図１】
0006039261.tif 000002
【図２】
0006039261.tif 000003
【図３】
0006039261.tif 000004
【図４】
0006039261.tif 000005
【図５】
0006039261.tif 000006
【図６】
0006039261.tif 000007
【図７】
0006039261.tif 000008
【図８】
0006039261.tif 000009